(57)【要約】【課題】一対のワイヤを途中で交差させたコモンモードフィルタにおいて、高周波特性をより向上させる。【解決手段】巻芯部２３に同方向に巻回されたワイヤＷ１，Ｗ２を備える。ワイヤＷ１，Ｗ２は、３つの巻回ブロックＢ１〜Ｂ３を構成し、巻回ブロックＢ１と巻回ブロックＢ３の間の領域において互いに交差し、巻回ブロックＢ２と巻回ブロックＢ３の間の領域において互いに交差する。本発明によれば、巻回ブロックの数が奇数であることから、軸方向に隣接する巻回ブロック間においてワイヤＷ１とワイヤＷ２を偶数回交差させれば、ワイヤＷ１，Ｗ２の一方の端部における位置関係と他方の端部における位置関係を一致させることができる。これにより、ワイヤＷ１，Ｗ２の一方の端部と他方の端部の条件が一致することから、反射特性（リターンロス）やノイズ変換特性などの高周波特性を向上させることが可能となる。【選択図】図２
2019121791.tif 000002
【特許請求の範囲】
【請求項１】
巻芯部と、
前記巻芯部に同方向に巻回された第１及び第２のワイヤと、を備え、
前記第１及び第２のワイヤは、前記巻芯部の軸方向における最も一端側で複数ターン巻回された第１の巻回ブロックと、前記巻芯部の軸方向における最も他端側で複数ターン巻回された第２の巻回ブロックと、前記第１の巻回ブロックと前記第２の巻回ブロックの間に位置し、複数ターン巻回された奇数個の巻回ブロックからなる第３の巻回ブロックとを構成し、
前記第１の巻回ブロックから数えて、前記第２の巻回ブロックは奇数番目の巻回ブロックであり、
前記第１のワイヤと前記第２のワイヤは、前記第１の巻回ブロックと前記第３の巻回ブロックの間の領域において互いに交差しており、且つ、前記第２の巻回ブロックと前記第３の巻回ブロックの間の領域において互いに交差していることを特徴とするコモンモードフィルタ。
【請求項２】
前記第１の巻回ブロックのターン数と、前記第２の巻回ブロックのターン数が等しいことを特徴とする請求項１に記載のコモンモードフィルタ。
【請求項３】
前記第１及び第２の巻回ブロックの合計ターン数と、前記第３の巻回ブロックのターン数が等しいことを特徴とする請求項１又は２に記載のコモンモードフィルタ。
【請求項４】
前記第１、第２及び第３の巻回ブロックは、下層に位置する第１の巻回層と、前記第１の巻回層の上層に位置する第２の巻回層を有することを特徴とする請求項１乃至３のいずれか一項に記載のコモンモードフィルタ。
【請求項５】
前記第１、第２及び第３の巻回ブロックのいずれにおいても、前記第１のワイヤが前記第１の巻回層に位置し、前記第２のワイヤが前記第２の巻回層に位置することを特徴とする請求項４に記載のコモンモードフィルタ。
【請求項６】
前記第１及び第２の巻回ブロックにおいては、前記第１のワイヤが前記第１の巻回層に位置し、前記第２のワイヤが前記第２の巻回層に位置し、
前記第３の巻回ブロックにおいては、前記第１のワイヤが前記第２の巻回層に位置し、前記第２のワイヤが前記第１の巻回層に位置することを特徴とする請求項４に記載のコモンモードフィルタ。
【請求項７】
前記第３の巻回ブロックは、前記第１の巻回ブロックから見てこの順に配列された第４、第５及び第６の巻回ブロックを含み、
前記第１のワイヤと前記第２のワイヤは、前記第１の巻回ブロックと前記第４の巻回ブロックの間の領域において互いに交差しており、前記第４の巻回ブロックと前記第５の巻回ブロックの間の領域において互いに交差しており、前記第５の巻回ブロックと前記第６の巻回ブロックの間の領域において互いに交差しており、且つ、前記第６の巻回ブロックと前記第２の巻回ブロックの間の領域において互いに交差していることを特徴とする請求項１又は２に記載のコモンモードフィルタ。
【請求項８】
前記第１の巻回ブロックのターン数と、前記第５の巻回ブロックのターン数が等しいことを特徴とする請求項７に記載のコモンモードフィルタ。
【請求項９】
前記第４の巻回ブロックのターン数と、前記第６の巻回ブロックのターン数が等しいことを特徴とする請求項７又は８に記載のコモンモードフィルタ。
【請求項１０】
前記第１、第２及び第５の巻回ブロックの合計ターン数と、前記第４及び第６の巻回ブロックのターン数が等しいことを特徴とする請求項７乃至９のいずれか一項に記載のコモンモードフィルタ。
【請求項１１】
前記第１の巻回ブロックから数えて、奇数番目の巻回ブロックのそれぞれのターン数は、偶数番目の巻回ブロックのそれぞれのターン数よりも少ないことを特徴とする請求項１乃至１０のいずれか一項に記載のコモンモードフィルタ。
【発明の詳細な説明】
【技術分野】
【０００１】
本発明はコモンモードフィルタに関し、特に、一対のワイヤが途中で交差するタイプのコモンモードフィルタ及びその製造方法に関する。
【背景技術】
【０００２】
コモンモードフィルタは、差動信号線路に重畳するコモンモードノイズを除去するための素子として、携帯電子機器や車載用ＬＡＮなど、多くの電子機器に幅広く使用されている。近年においては、トロイダル型のコアを用いたコモンモードフィルタに代わって、表面実装が可能なドラム型のコアを用いたコモンモードフィルタが主流である（特許文献１参照）。
【０００３】
特許文献１に記載されたコモンモードフィルタは、一対のワイヤを途中で交差させることによって、高周波領域における差動信号の対称性を高めている。
【先行技術文献】
【特許文献】
【０００４】
【特許文献１】特開２０１４−１９９９０４号公報
【発明の概要】
【発明が解決しようとする課題】
【０００５】
しかしながら、ワイヤを途中で交差させると、一対のワイヤの位置関係が逆転することから、これを元に戻すためには、もう一度ワイヤを交差させる必要が生じる。そして、このような２回目の交差をワイヤの端部近傍で行うと、一方の端部においては一対のワイヤが交差し、他方の端部においては一対のワイヤが交差しないという差が生じ、場合によっては、これが反射特性（リターンロス）やノイズ変換特性などの高周波特性を悪化させる原因となることが判明した。
【０００６】
したがって、本発明は、一対のワイヤを途中で交差させたコモンモードフィルタにおいて、高周波特性をより向上させることを目的とする。
【課題を解決するための手段】
【０００７】
本発明によるコモンモードフィルタは、巻芯部と、巻芯部に同方向に巻回された第１及び第２のワイヤと、を備え、第１及び第２のワイヤは、巻芯部の軸方向における最も一端側で複数ターン巻回された第１の巻回ブロックと、巻芯部の軸方向における最も他端側で複数ターン巻回された第２の巻回ブロックと、第１の巻回ブロックと第２の巻回ブロックの間に位置し、複数ターン巻回された奇数個の巻回ブロックからなる第３の巻回ブロックとを構成し、第１の巻回ブロックから数えて、第２の巻回ブロックは奇数番目の巻回ブロックであり、第１のワイヤと第２のワイヤは、第１の巻回ブロックと第３の巻回ブロックの間の領域において互いに交差しており、且つ、第２の巻回ブロックと第３の巻回ブロックの間の領域において互いに交差していることを特徴とする。
【０００８】
本発明によれば、巻回ブロックの数が奇数であることから、軸方向に隣接する巻回ブロック間において第１のワイヤと第２のワイヤを偶数回交差させれば、第１及び第２のワイヤの一方の端部における位置関係と他方の端部における位置関係を一致させることができる。これにより、第１及び第２のワイヤの一方の端部と他方の端部の条件が一致することから、反射特性（リターンロス）やノイズ変換特性などの高周波特性を向上させることが可能となる。
【０００９】
本発明において、第１の巻回ブロックのターン数と、第２の巻回ブロックのターン数が等しくても構わない。これによれば、両端に位置する第１及び第２の巻回ブロックの対称性が高まることから、製品の方向性を無くすことが可能となる。
【００１０】
本発明において、第１及び第２の巻回ブロックの合計ターン数と、第３の巻回ブロックのターン数が等しくても構わない。これによれば、第１及び第２のワイヤの同一ターンに着目した場合、巻芯部の軸方向における一端側に第１のワイヤが位置するペアの数と、巻芯部の軸方向における一端側に第２のワイヤが位置するペアの数が一致することから、第１のワイヤを流れる信号と第２のワイヤを流れる信号の対称性が高まり、その結果、優れた高周波特性を得ることが可能となる。
【００１１】
本発明において、第１、第２及び第３の巻回ブロックは、下層に位置する第１の巻回層と、第１の巻回層の上層に位置する第２の巻回層を有するものであっても構わない。これによれば、ワイヤの巻回密度が高められることから、巻芯部の軸方向におけるサイズを小型化することが可能となる。
【００１２】
本発明において、第１、第２及び第３の巻回ブロックのいずれにおいても、第１のワイヤが第１の巻回層に位置し、第２のワイヤが第２の巻回層に位置しても構わない。これによれば、第１のワイヤと第２のワイヤを順次巻回することにより作製することが可能となる。或いは、第１及び第２の巻回ブロックにおいては、第１のワイヤが第１の巻回層に位置し、第２のワイヤが第２の巻回層に位置し、第３の巻回ブロックにおいては、第１のワイヤが第２の巻回層に位置し、第２のワイヤが第１の巻回層に位置しても構わない。これによれば、第１のワイヤと第２のワイヤの長さの差を小さくすることが可能となる。
【００１３】
本発明において、第３の巻回ブロックは、第１の巻回ブロックから見てこの順に配列された第４、第５及び第６の巻回ブロックを含み、第１のワイヤと第２のワイヤは、第１の巻回ブロックと第４の巻回ブロックの間の領域において互いに交差しており、第４の巻回ブロックと第５の巻回ブロックの間の領域において互いに交差しており、第５の巻回ブロックと第６の巻回ブロックの間の領域において互いに交差しており、且つ、第６の巻回ブロックと第２の巻回ブロックの間の領域において互いに交差していても構わない。これによれば、第１のワイヤと第２のワイヤを４回交差させることが可能となる。
【００１４】
本発明において、第１の巻回ブロックのターン数と、第５の巻回ブロックのターン数が等しくても構わない。これによれば、奇数番目に位置する第１及び第５の巻回ブロックの対称性を高めることが可能となる。
【００１５】
本発明において、第４の巻回ブロックのターン数と、第６の巻回ブロックのターン数が等しくても構わない。これによれば、偶数番目に位置する第４及び第６の巻回ブロックの対称性を高めることが可能となる。
【００１６】
本発明において、第１、第２及び第５の巻回ブロックの合計ターン数と、第４及び第６の巻回ブロックのターン数が等しくても構わない。これによれば、第１のワイヤを流れる信号と第２のワイヤを流れる信号の対称性が高まることから、優れた高周波特性を得ることが可能となる。
【００１７】
本発明において、第１の巻回ブロックから数えて、奇数番目の巻回ブロックのそれぞれのターン数は、偶数番目の巻回ブロックのそれぞれのターン数よりも少なくても構わない。これによれば、奇数番目の巻回ブロックの合計ターン数と偶数番目の巻回ブロックの合計ターン数との差を小さくすることが可能となる。
【発明の効果】
【００１８】
このように、本発明によれば、一対のワイヤを途中で交差させたコモンモードフィルタの高周波特性を向上させることが可能となる。
【図面の簡単な説明】
【００１９】
【図１】図１は、本発明の好ましい実施形態によるコモンモードフィルタ１０の外観を示す略斜視図である。
【図２】図２は、第１及び第２のワイヤＷ１，Ｗ２の巻回レイアウトをより詳細に説明するための模式図である。
【図３】図３は、第２４ターンにて第１のワイヤＷ１と第２のワイヤＷ２が交差しない理由を説明するための模式図である。
【図４】図４は、比較例によるコモンモードフィルタの最終ターンにて第１のワイヤＷ１と第２のワイヤＷ２が交差する様子を説明するための模式図である。
【図５】図５は、比較例によるコモンモードフィルタの最終ターンにて第１のワイヤＷ１と第２のワイヤＷ２が交差する様子を説明するための別の模式図である。
【図６】図６は、比較例によるコモンモードフィルタの最終ターンにて第１のワイヤＷ１と第２のワイヤＷ２が交差する様子を説明するためのさらに別の模式図である。
【図７】図７は、第１の変形例によるコモンモードフィルタ１０Ａの巻回レイアウトを説明するための模式図である。
【図８】図８は、第２の変形例によるコモンモードフィルタ１０Ｂの巻回レイアウトを説明するための模式図である。
【図９】図９は、第３の変形例によるコモンモードフィルタ１０Ｃの巻回レイアウトを説明するための模式図である。
【発明を実施するための形態】
【００２０】
以下、添付図面を参照しながら、本発明の好ましい実施形態について詳細に説明する。
【００２１】
図１は、本発明の好ましい実施形態によるコモンモードフィルタ１０の外観を示す略斜視図である。
【００２２】
図１に示すように、本実施形態によるコモンモードフィルタ１０は、ドラム型コア２０と、板状コア３０と、第１〜第４の端子電極４１〜４４と、第１及び第２のワイヤＷ１，Ｗ２とを備えている。ドラム型コア２０及び板状コア３０は、Ｎｉ−Ｚｎ系フェライトなど比較的透磁率の高い磁性材料によって構成される。また、第１〜第４の端子電極４１〜４４は、銅などの良導体からなる金具である。第１〜第４の端子電極４１〜４４は、ドラム型コア２０に銀ペーストなどを直接焼き付けたものであっても構わない。
【００２３】
ドラム型コア２０は、第１の鍔部２１と、第２の鍔部２２と、これらの間に設けられた巻芯部２３と有している。巻芯部２３はｘ方向を軸方向とし、その両端にそれぞれ第１及び第２の鍔部２１，２２が設けられ、これらが一体化された構造を有している。板状コア３０は、鍔部２１，２２の上面２１ｔ，２２ｔに接着されている。鍔部２１，２２の上面２１ｔ，２２ｔはｘｙ平面を構成し、その反対側の面は実装面２１ｂ，２２ｂとして用いられる。そして、第１及び第２の端子電極４１，４２は、第１の鍔部２１の実装面２１ｂ及び外側面２１ｓに設けられ、第３及び第４の端子電極４３，４４は、第２の鍔部２２の実装面２２ｂ及び外側面２２ｓに設けられている。外側面２１ｓ，２２ｓは、ｙｚ面を構成する。第１〜第４の端子電極４１〜４４の固定は、接着剤などによって行われる。
【００２４】
第１及び第２のワイヤＷ１，Ｗ２は、巻芯部２３に同方向に巻回されている。そして、第１のワイヤＷ１の一端及び他端はそれぞれ第１及び第３の端子電極４１，４３に接続され、第２のワイヤＷ２の一端及び他端はそれぞれ第２及び第４の端子電極４２，４４に接続される。第１及び第２のワイヤＷ１，Ｗ２のターン数は、互いに同じである。
【００２５】
図１に示すように、ドラム型コア２０の巻芯部２３は、第１の鍔部２１に最も近い第１の巻回領域Ａ１と、第２の鍔部２２に最も近い第２の巻回領域Ａ２と、第１の巻回領域Ａ１と第２の巻回領域Ａ２の間に位置する第３の巻回領域Ａ３を含む。さらに、第１の巻回領域Ａ１と第３の巻回領域Ａ３の間の領域は第１の交差領域ＣＡ１を構成し、第２の巻回領域Ａ２と第３の巻回領域Ａ３の間の領域は第２の交差領域ＣＡ２を構成する。そして、第１及び第２のワイヤＷ１，Ｗ２は、第１〜第３の巻回領域Ａ１〜Ａ３において整列して巻回されているとともに、第１及び第２の交差領域ＣＡ１，ＣＡ２にて互いに交差している。第１及び第２のワイヤＷ１，Ｗ２が交差すると、その前後において第１及び第２のワイヤＷ１，Ｗ２の位置関係が変化する。
【００２６】
図２は、第１及び第２のワイヤＷ１，Ｗ２の巻回レイアウトをより詳細に説明するための模式図である。
【００２７】
図２に示すように、第１及び第２のワイヤＷ１，Ｗ２は、第１の巻回領域Ａ１に巻回された第１の巻回ブロックＢ１と、第２の巻回領域Ａ２に巻回された第２の巻回ブロックＢ２と、第３の巻回領域Ａ３に巻回された第３の巻回ブロックＢ３を構成しており、上述の通り、第１及び第２の交差領域ＣＡ１，ＣＡ２にて互いに交差している。図２に示す例では、第１及び第２の巻回ブロックＢ１，Ｂ２におけるターン数がいずれも６ターンであり、第３の巻回ブロックＢ３におけるターン数が１２ターンである。これにより、第１及び第２のワイヤＷ１，Ｗ２がいずれも第１ターンから第２４ターンからなる２４ターン構成となるが、本発明がこれに限定されるものではない。
【００２８】
第１〜第３の巻回ブロックＢ１〜３は、いずれも２層構造を有している。つまり、下層に位置し、巻芯部２３に直接巻回された第１の巻回層Ｓ１と、第１の巻回層Ｓ１の上層に位置し、第１の巻回層Ｓ１を介して巻芯部２３に巻回された第２の巻回層Ｓ２を有している。そして、第１のワイヤＷ１は第１の巻回層Ｓ１に位置し、第２のワイヤＷ２の大部分は第２の巻回層Ｓ２に位置している。但し、第２のワイヤＷ２の第６、第８及び第２４ターンは第１の巻回層Ｓ１に位置している。これは、２層構造のワイヤを安定させるためには、下層に位置するワイヤの谷線に沿って上層のワイヤを巻回する必要があり、このため、下層に位置するワイヤのターン数よりも上層に位置するワイヤのターン数が１ターン少なくなるからであり、第２のワイヤＷ２の第６、第８及び第２４ターンはこれに該当する。
【００２９】
本実施形態においては、第１及び第２の端子電極４１，４２を始点として第１及び第２のワイヤＷ１，Ｗ２のターン数を数えた場合、第１ターン〜第６ターンが第１の巻回ブロックＢ１を構成し、第７ターン〜第１８ターンが第３の巻回ブロックＢ３を構成し、第１９ターン〜第２４ターンが第２の巻回ブロックＢ２を構成する。但し、交差する第７ターン及び第１９ターンにおいては、ワイヤの一部が交差領域ＣＡ１又はＣＡ２に位置している。
【００３０】
そして、第１及び第２のワイヤＷ１，Ｗ２の第７及び第１９ターンは、第１及び第２の交差領域ＣＡ１，ＣＡ２において互いに交差している。第１及び第２のワイヤＷ１，Ｗ２が交差すると、その前後において第１のワイヤＷ１と第２のワイヤＷ２の位置関係が逆転する。具体的には、第１のワイヤＷ１と第２のワイヤＷ２の同一ターンに着目すると、第１及び第２の巻回ブロックＢ１，Ｂ２においては、第１のワイヤＷ１が図２における左側（第１の鍔部２１側）、第２のワイヤＷ２が図２における右側（第２の鍔部２２側）に位置するのに対し、第３の巻回ブロックＢ３においては、第１のワイヤＷ１が右側（第２の鍔部２２側）、第２のワイヤＷ２が左側（第１の鍔部２１側）に位置している。
【００３１】
本実施形態においては、第１及び第２のワイヤＷ１，Ｗ２のそれぞれのターン数は、第１及び第２の巻回ブロックＢ１，Ｂ２においていずれも６ターンであり、第３の巻回ブロックＢ３において１２ターンである。このため、第１のワイヤＷ１が左側（第２のワイヤが右側）に位置する同一ターンは１２ペアであり、第１のワイヤＷ１が右側（第２のワイヤが左側）に位置する同一ターンも１２ペアであることから、第１のワイヤＷ１を流れる信号と第２のワイヤＷ２を流れる信号の対称性が高まり、その結果、優れた高周波特性を得ることが可能となる。
【００３２】
図１に示すように、本実施形態においては、第１のワイヤＷ１が接続される第１及び第３の端子電極４１，４３のｙ方向位置は同じであり、且つ、第２のワイヤＷ２が接続される第２及び第４の端子電極４２，４４のｙ方向位置は同じである。そして、図１に示す矢印Ｖから見て、第１のワイヤＷ１が接続される第１及び第３の端子電極４１，４３は右側に位置し、第２のワイヤＷ２が接続される第２及び第４の端子電極４２，４４は左側に位置する。このため、第１及び第２の端子電極４１，４２を始点として、第１及び第２のワイヤＷ１，Ｗ２を矢印Ｖから見て右回り（時計回り）に巻回すると、ワイヤを交差させない限り、第１のワイヤＷ１と第２のワイヤＷ２の同一ターンは、第１のワイヤＷ１が図２における左側（第１の鍔部２１側）、第２のワイヤＷ２が図２における右側（第２の鍔部２２側）に位置することになる。第１の巻回ブロックＢ１においては、第１のワイヤＷ１と第２のワイヤＷ２が交差しないことから、この位置関係は、第１の巻回ブロックＢ１の全域に亘って維持される。
【００３３】
次に、第１の交差領域ＣＡ１において第１のワイヤＷ１と第２のワイヤＷ２を交差させると、第１のワイヤＷ１と第２のワイヤＷ２の位置関係が逆転する。このため、第３の巻回ブロックＢ３においては、第１のワイヤＷ１と第２のワイヤＷ２の同一ターンは、第１のワイヤＷ１が図２における右側（第２の鍔部２２側）、第２のワイヤＷ２が図２における左側（第１の鍔部２１側）に位置することになる。第３の巻回ブロックＢ３においては、第１のワイヤＷ１と第２のワイヤＷ２が交差しないことから、この位置関係は、第３の巻回ブロックＢ３の全域に亘って維持される。
【００３４】
さらに、第２の交差領域ＣＡ２において第１のワイヤＷ１と第２のワイヤＷ２を交差させると、第１のワイヤＷ１と第２のワイヤＷ２の位置関係が再び逆転する。このため、第２の巻回ブロックＢ２においては、第１のワイヤＷ１と第２のワイヤＷ２の同一ターンは、第１のワイヤＷ１が図２における左側（第１の鍔部２１側）、第２のワイヤＷ２が図２における右側（第２の鍔部２２側）に位置することになる。第２の巻回ブロックＢ２においては、第１のワイヤＷ１と第２のワイヤＷ２が交差しないことから、この位置関係は、第３の巻回ブロックＢ３の全域に亘って維持される。
【００３５】
そして、上述の通り、図１に示す矢印Ｖから見ると、第３の端子電極４３が右側、第４の端子電極４４が左側に位置することから、模式図である図３に示すように、第１のワイヤＷ１と第２のワイヤＷ２をこれ以上交差させることなく、両者の終端部を第３及び第４の端子電極４３，４４にそれぞれ接続することができる。
【００３６】
このように、本実施形態によるコモンモードフィルタ１０は、巻回ブロックの数を３つとし、これによりワイヤの交差回数を２回としていることから、第１及び第２のワイヤＷ１，Ｗ２の位置関係が第１の巻回ブロックＢ１と第２の巻回ブロックＢ２で同一となる。したがって、第１及び第２のワイヤＷ１，Ｗ２の一方の端部と他方の端部の条件が一致する。これにより、端部の条件が不一致であることに起因するアンバランスが生じないため、反射特性（リターンロス）やノイズ変換特性などの高周波特性を向上させることが可能となる。
【００３７】
これに対し、仮に、巻回ブロックの数を偶数個（例えば２個）とし、ワイヤの交差回数を奇数回（例えば１回）とした場合、第１の鍔部２１に最も近い巻回領域におけるワイヤの位置関係と、第２の鍔部２２に最も近い巻回領域におけるワイヤの位置関係が互いに逆となるため、第１のワイヤＷ１と第２のワイヤＷ２の終端部を第３及び第４の端子電極４３，４４にそれぞれ接続するためには、第１のワイヤＷ１と第２のワイヤＷ２をもう一度交差させ、両者の位置関係を元に戻す必要が生じる。
【００３８】
図４は、比較例によるコモンモードフィルタの最終ターンにて第１のワイヤＷ１と第２のワイヤＷ２が交差する様子を説明するための模式図である。
【００３９】
図４に示すように、矢印Ｖから見た場合、第１の端子電極４１は右側、第２の端子電極４２は左側に位置するため、第１及び第２のワイヤＷ１，Ｗ２を交差させることなく右回り（時計回り）に巻回すると、第１のワイヤＷ１が第１の鍔部２１側、第２のワイヤＷ２が第２の鍔部２２側に位置する。この位置関係は、ワイヤが交差するたびに逆転するが、ワイヤの交差回数が奇数回である場合、第２の鍔部２２に最も近い巻回ブロックにおいては逆転したままとなり、第１のワイヤＷ１が第２の鍔部２２側、第２のワイヤＷ２が第１の鍔部２１側となる。この状態で、第１及び第２のワイヤＷ１，Ｗ２の終端をそれぞれ第３及び第４の端子電極４３，４４に接続しようとすると、矢印Ｖから見て、第３の端子電極４３は右側、第４の端子電極４４は左側に位置するため、符号Ｃで示すように、最終ターンにおいて第１のワイヤＷ１と第２のワイヤＷ２が交差することになる。
【００４０】
ここで、図５に示すように、第３の端子電極４３と第４の端子電極４４のｙ方向における距離が離れている場合、平面的に見ると（ｚ方向から見ると）、最終ターンにおいて第１のワイヤＷ１と第２のワイヤＷ２が一見交差しないように見える。しかしながら、この場合には、図６に示すように、巻芯部２３のｘｚ側面にて第１のワイヤＷ１と第２のワイヤＷ２が交差することになる。つまり、いずれにしても、第１及び第２のワイヤＷ１，Ｗ２を最終ターンで交差させることにより、第１のワイヤＷ１と第２のワイヤＷ２の位置関係を元に戻す必要が生じる。
【００４１】
このように、巻回ブロック間におけるワイヤの交差回数が奇数回である場合、第１及び第２のワイヤＷ１，Ｗ２は、一端側に位置する第１ターンにおいては交差せず、他端側に位置する最終ターンにおいては交差するという差が発生する。このため、第１及び第２のワイヤＷ１，Ｗ２は、一端側における容量成分の付き方と、他端側における容量成分の付き方に差が生じ、このアンバランスが反射特性などの高周波特性を悪化させる原因となり得る。しかしながら、本実施形態によるコモンモードフィルタ１０は、巻回ブロックの数を３個（奇数）とし、巻回ブロック間におけるワイヤの交差回数を２回（偶数）としていることから、上記のアンバランスが生じることがない。その結果、反射特性などの高周波特性を向上させることが可能となる。
【００４２】
以上説明したように、本実施形態によるコモンモードフィルタ１０は、巻回ブロックの数を３個（奇数）とし、巻回ブロック間におけるワイヤの交差回数を２回（偶数）としていることから、第１及び第２のワイヤＷ１，Ｗ２の一方の端部と他方の端部の条件が一致している。これにより、両端部の条件が不一致であることに起因するアンバランスが生じないため、反射特性（リターンロス）やノイズ変換特性などの高周波特性を向上させることが可能となる。
【００４３】
しかも、本実施形態においては、第１の巻回ブロックＢ１のターン数と、第２の巻回ブロックＢ２のターン数が等しいことから、両端に位置する第１及び第２の巻回ブロックＢ１，Ｂ２の対称性が高まる。これにより、製品の方向性を無くすことが可能となる。また、本実施形態においては、第１及び第２の巻回ブロックＢ１，Ｂ２の合計ターン数と、第３の巻回ブロックＢ３のターン数が等しいことから、第１のワイヤＷ１が左側（第１の鍔部２１側）、第２のワイヤＷ２が右側（第２の鍔部２２側）に位置するペアの数と、第１のワイヤＷ１が右側（第２の鍔部２２側）、第２のワイヤＷ２が左側（第１の鍔部２１側）に位置するペアの数が一致する。これにより、第１のワイヤＷ１を流れる信号と第２のワイヤＷ２を流れる信号の対称性が高まることから、優れた高周波特性を得ることが可能となる。
【００４４】
さらに、本実施形態においては、第１のワイヤＷ１上に第２のワイヤＷ２を重ねて巻回していることから、ワイヤの巻回密度が高められる。これにより、巻芯部２３の軸方向（ｘ方向）におけるサイズを小型化することも可能となる。
【００４５】
以下、コモンモードフィルタ１０のいくつかの変形例について説明する。以下に説明する変形例の構造も本発明の権利範囲に含まれるものである。
【００４６】
図７は、第１の変形例によるコモンモードフィルタ１０Ａの巻回レイアウトを説明するための模式図である。
【００４７】
図７に示すコモンモードフィルタ１０Ａは、第３の巻回ブロックＢ３において、第２のワイヤＷ２が第１の巻回層Ｓ１（下層）に位置し、第１のワイヤＷ１が第２の巻回層Ｓ２（上層）に位置している点において、上記実施形態によるコモンモードフィルタ１０と相違している。第１の変形例が例示するように、第１及び第２のワイヤＷ１，Ｗ２の上下関係は、第１及び第２の巻回ブロックＢ１，Ｂ２と第３の巻回ブロックＢ３で逆転しても構わない。これによれば、第１のワイヤＷ１の長さと第２のワイヤＷ２の長さがほぼ等しくなるというメリットがある。
【００４８】
図８は、第２の変形例によるコモンモードフィルタ１０Ｂの巻回レイアウトを説明するための模式図である。
【００４９】
図８に示すコモンモードフィルタ１０Ｂにおいては、巻芯部２３の第３の巻回領域Ａ３が第４〜第６の巻回領域Ａ４〜Ａ６と、第３及び第４の交差領域ＣＡ３，ＣＡ４に細分化されている。第４〜第６の巻回領域Ａ４〜Ａ６は、第１の巻回領域Ａ１から見てこの順に配列されており、それぞれ第４〜第６の巻回ブロックＢ４〜Ｂ６が形成される。
【００５０】
そして、第１、第２及び第５の巻回ブロックＢ１，Ｂ２，Ｂ５におけるターン数はいずれも４ターンであり、第４及び第６の巻回ブロックＢ４，Ｂ６におけるターン数はいずれも６ターンである。第１及び第２のワイヤＷ１，Ｗ２は、第１〜第４の交差領域ＣＡ１〜ＣＡ４において互いに交差している。このため、第１のワイヤＷ１と第２のワイヤＷ２の同一ターンは、奇数番目に位置する第１、第２及び第５の巻回ブロックＢ１，Ｂ２，Ｂ５においては、第１のワイヤＷ１が図８における左側（第１の鍔部２１側）、第２のワイヤＷ２が図８における右側（第２の鍔部２２側）に位置するのに対し、偶数番目に位置する第４及び第６の巻回ブロックＢ４，Ｂ６においては、第１のワイヤＷ１が右側（第２の鍔部２２側）、第２のワイヤＷ２が左側（第１の鍔部２１側）に位置している。
【００５１】
そして、第１及び第２のワイヤＷ１，Ｗ２のそれぞれのターン数は、奇数番目に位置する第１、第２及び第５の巻回ブロックＢ１，Ｂ２，Ｂ５においていずれも４ターンであり、偶数番目に位置する第４及び第６の巻回ブロックＢ４，Ｂ６においていずれも６ターンであることから、第１のワイヤＷ１が左側（第２のワイヤが右側）に位置する同一ターンは１２ペアとなり、第１のワイヤＷ１が右側（第２のワイヤが左側）に位置する同一ターンも１２ペアとなる。
【００５２】
第２の変形例が例示するように、本発明において巻回ブロックの数が３つであることは必須でなく、５つであっても構わない。つまり、奇数個の巻回ブロックを構成し、軸方向に隣接する巻回ブロック間において第１のワイヤＷ１と第２のワイヤＷ２を交差させれば、交差回数が偶数回となることから、第１及び第２のワイヤＷ１，Ｗ２の一方の端部と他方の端部の条件を一致させることができる。
【００５３】
図９は、第３の変形例によるコモンモードフィルタ１０Ｃの巻回レイアウトを説明するための模式図である。
【００５４】
図９に示すコモンモードフィルタ１０Ｃは、第４及び第６の巻回ブロックＢ４，Ｂ６において、第２のワイヤＷ２が第１の巻回層Ｓ１（下層）に位置し、第１のワイヤＷ１が第２の巻回層Ｓ２（上層）に位置している点において、第２の変形例によるコモンモードフィルタ１０Ｂと相違している。これによれば、第１の変形例と同様、第１のワイヤＷ１の長さと第２のワイヤＷ２の長さがほぼ等しくなるというメリットがある。
【００５５】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００５６】
例えば、上記実施形態では、第１及び第２のワイヤＷ１，Ｗ２を製造時において第１ターンから第２４ターンへと巻回することを前提に説明したが、これとは逆に、第２４ターンから第１ターンへ巻回することによって作製しても構わない。
【００５７】
また、上記実施形態では、全ての巻回ブロックが２層構造を有しているが、一部又は全部の巻回ブロックにおいて第１及び第２のワイヤＷ１，Ｗ２をバイファイラ巻きしても構わない。
【符号の説明】
【００５８】
１０，１０Ａ〜１０Ｃ    コモンモードフィルタ
２０    ドラム型コア
２１    第１の鍔部
２２    第２の鍔部
２１ｂ，２２ｂ    実装面
２１ｓ，２２ｓ    外側面
２１ｔ，２２ｔ    上面
２３    巻芯部
３０    板状コア
４１    第１の端子電極
４２    第２の端子電極
４３    第３の端子電極
４４    第４の端子電極
Ａ１    第１の巻回領域
Ａ２    第２の巻回領域
Ａ３    第３の巻回領域
Ａ４    第４の巻回領域
Ａ５    第５の巻回領域
Ａ６    第６の巻回領域
Ｂ１    第１の巻回ブロック
Ｂ２    第２の巻回ブロック
Ｂ３    第３の巻回ブロック
Ｂ４    第４の巻回ブロック
Ｂ５    第５の巻回ブロック
Ｂ６    第６の巻回ブロック
ＣＡ１    第１の交差領域
ＣＡ２    第２の交差領域
ＣＡ３    第３の交差領域
ＣＡ４    第４の交差領域
Ｓ１    第１の巻回層
Ｓ２    第２の巻回層
Ｗ１    第１のワイヤ
Ｗ２    第２のワイヤ
【図１】
2019121791.tif 000003
【図２】
2019121791.tif 000004
【図３】
2019121791.tif 000005
【図４】
2019121791.tif 000006
【図５】
2019121791.tif 000007
【図６】
2019121791.tif 000008
【図７】
2019121791.tif 000009
【図８】
2019121791.tif 000010
【図９】
2019121791.tif 000011